(57)【特許請求の範囲】
【請求項１】
親指以外の指用の複数の指部材および親指用の親指部材と、
複数の指のそれぞれに螺旋状に巻き付く複数の指フラップであって、創傷を見るために前記指フラップを解放可能に開け閉めするためのファスナーを遠位端に有する指フラップと、を備える、創傷ケア編み手袋であって、
弾性糸および銀を含むナイロン糸を備える第１の糸を備える編物の第１の外層と、
銀を含む親水性の糸である第２の糸を備える編物の第２の皮膚接触内層であって、前記第２の糸が、前記第１の外層への水分のウィッキングと、創傷への銀イオンの輸送とを促進する、編物の第２の皮膚接触内層と、
を備える創傷ケア編み手袋。
【請求項２】
前記第１の糸が、綿、ポリエステル、ナイロン、ＳＰＡＮＤＥＸ（登録商標）、ＬＹＣＲＡ（登録商標）、または、それらの任意の組合せもしくはブレンドを備える、請求項１に記載の創傷ケア編み手袋。
【請求項３】
前記第２の糸が、ナイロン６、ナイロン６，６、および、Ｎｉｌｉｔ（登録商標）ＡＱＵＡＲＩＵＳ糸のうちの少なくとも１つである、請求項１に記載の創傷ケア編み手袋。
【請求項４】
前記第２の糸が、金、銅、ヨウ素、亜鉛およびそれらの合金、貴金属イオン、ＴＲＩＯＳＹＮ（登録商標）、トリクロサン、２−プロパノール、ｎ−ハラミン、高分子ビグアニド、第４アンモニウム化合物、グルコン酸クロルヘキシジン、銀−亜鉛ゼオライトおよび銀−銅ゼオライトならびにそれらの化合物ならびにそれらの組合せのうちの少なくとも１つを更に備える、請求項１に記載の創傷ケア編み手袋。
【請求項５】
前記第１の外層および前記第２の皮膚接触内層の少なくとも１つと流体結合される水分貯留部を更に備える、請求項１に記載の創傷ケア編み手袋。
【請求項６】
前記水分貯留部が、電気紡績されたポリウレタンおよび結合アクリレートを更に備える、請求項５に記載の創傷ケア編み手袋。
【請求項７】
前記水分貯留部が、ＳＮＳ  ＮＡＮＯＳＯＲＢ（登録商標）２８、ポリアクリレート、ポリビニルアルコール、または、他のヒドロゲルもしくは親水性粒子を備える、請求項６に記載の創傷ケア編み手袋。
【請求項８】
包帯を更に備え、前記包帯が前記第１の外層および前記第２の皮膚接触内層の少なくとも１つを覆う、請求項１に記載の創傷ケア編み手袋。
【請求項９】
創傷を治療するための多層物品を形成する方法であって、
第１の糸を備える第１の層を編むステップと、
前記第１の糸と共に編組され銀含有剤を含む第２の糸を備える第２の層を編むステップであって、前記第２の糸が、前記第１の層への水分のウィッキングと、創傷への前記銀含有剤の輸送とを促進する、ステップと、
を備え、前記多層物品には、複数の指のそれぞれに螺旋状に巻き付く複数のフラップであって、創傷を見るために前記フラップを個々に解放可能に開け閉めするためのファスナーを遠位端に有するフラップが設けられている、方法。
【請求項１０】
前記第１の糸が、綿、ポリエステル、ナイロン、ＳＰＡＮＤＥＸ（登録商標）、ＬＹＣＲＡ（登録商標）ならびにそれらの任意の組合せおよび任意のブレンドのうちの少なくとも１つを備える、請求項９に記載の方法。
【請求項１１】
前記第１の糸および前記第２の糸の少なくとも１つが、金、銅、ヨウ素、亜鉛およびそれらの合金、貴金属イオン、ＴＲＩＯＳＹＮ（登録商標）、トリクロサン、２−プロパノール、ｎ−ハラミン、高分子ビグアニド、第４アンモニウム化合物、グルコン酸クロルヘキシジン、ならびにそれらの化合物ならびにそれらの組合せのうちの少なくとも１つである抗菌剤を更に備える、請求項９に記載の方法。
【請求項１２】
前記第２の糸が、抗菌剤が配置されたナイロン糸である、請求項１に記載の創傷ケア編み手袋と、
前記創傷ケア編み手袋を覆うための被覆物品と、
を備えるキット。
【発明の詳細な説明】
【技術分野】
【０００１】
[0001]本発明の実施形態は、一般に創傷ケア物品に関し、より特に、水分ウィッキング要素および／または抗菌要素を備える、創傷ケア手袋、アンクレット、膝サポートおよび肘サポート、マスク、スカルキャップ、ならびに指サック等に関する。物品を作る方法も開示される。
【背景技術】
【０００２】
[0002]手袋、アンクレット、指サック、膝サポートおよび肘サポート、マスク、スカルキャップ、ならびに同様の物品は、ユーザの手、顔、頭皮、手首、膝、および、他の関節を保護するために使用される。これらの物品は、切り傷、擦り傷、ならびに、化学物質、熱、および火炎により引き起こされる熱傷の後の創傷ケアのために医療産業においても有用性が見出されてきた。しかしながら、そのような傷害は、しばしば、包帯を巻くことが困難であり、なぜなら、関節が運動し、したがって、いかなる包帯も関節に密に接触したままの状態でこの運動を受け入れる必要があるからである。更には、そのような物品は、ケアの全ての段階で、例えば、集中治療、救急処置室、ならびに外来患者およびホスピスケアにおける間に使用され得る。また、熱傷治療は、しばしば、包帯の複数の交換を必要とする。
【０００３】
[0003]多くのそのような物品は、実質的に不浸透性を与えるために、合成のまたは天然の高分子コーティングを有する。不浸透性は、病原菌およびウイルス等に対する保護を促進するが、これらの物品も、水分を捕捉し、特に、物品の内側で汗を捕捉する。また、例えば熱傷治療中に、皮膚が水分および浸出液を分泌する。水分を捕捉する手袋および他の創傷ケア物品は、ベトベトした感触があり、ユーザにとって不快であり、微生物が繁殖する腐敗性の非衛生的な環境を形成させる。加えて、多くの着用可能物品は、強固であり剛性のある布地であり、更なる一層の剛性を付与する継ぎ目を有し、それにより、着用中、使用中、および、脱ぐ最中に、ストレスおよび刺激を招く。更には、治癒中に、皮膚が、包帯、ならびに手袋、アンクレット、および指サックなどの他の着用可能物品に固着し、このことは、特に、関節、例えば膝、指関節、足首、肘、および、物品がユーザの皮膚と最も緊密に接触する他の領域で生じ、このことは、創傷を見るために包帯を取り外す際にまたはしばしば必要とされるように創傷包帯を交換する際に問題を起こす。
【発明の概要】
【発明が解決しようとする課題】
【０００４】
[0004]したがって、当該技術分野においては、水分および汗を管理し、運動中の緊密快適なフィットのために柔軟であり、着脱が容易であり、略円筒状の圧縮スリーブと共に任意選択で使用でき、皮膚／創傷に固着するまたは皮膚／創傷を擦ることなく抗菌剤を有する物品と着用者の皮膚との密な接触を可能にすることによって治癒を促進する抗菌物品の必要性がある。
【課題を解決するための手段】
【０００５】
[0005]本発明の実施形態は、特許請求の範囲により完全に記載されているような、図のうちの少なくとも１つに実質的に示されおよび／または図のうちの少なくとも１つと関連して説明されるような、着用可能で着脱が容易な抗菌物品を作製するための装置および方法を含む。本開示の様々な利点、態様、および、新規な特徴、ならびに、本開示の例示的な実施形態の詳細は、以下の説明および図面からより十分に理解されよう。
【０００６】
[0006]本発明の先に挙げられた特徴を詳しく理解できるように、先に要約された本発明は、実施形態を参照してより特に説明され得、実施形態の一部は添付の図面に示されている。添付の図面は本発明の典型的な実施形態を示しており、本発明は他の均等に有効な実施形態を認めるので添付の図面は本発明の範囲を限定すると見なされるべきでないことに留意されたい。１つの実施形態の要素および特徴は、更なる列挙を伴うことなく他の実施形態にあってもよいことを理解されたい。また、可能な場合には、図に共通する同等な要素を示すために同一の参照数字が使用されている。
【図面の簡単な説明】
【０００７】
【図１】本発明の実施形態による手袋を示す図である。
【図２】本発明の少なくとも１つの実施形態による、スリット袖口およびコーティングが配置された手袋を示す図である。
【図３】本発明の実施形態による手袋を示す図である。
【図４】本発明の実施形態による、図３の指の編組された編み布地の拡大図である。
【図５】本発明の実施形態による高ウィッキング糸と水分貯留部とを有する手袋を示す図である。
【図６】本発明の実施形態による、弾性部材を受け入れるための管路を有する左手用手袋を示す図である。
【図７】本発明の実施形態による、右手用手袋の掌側の斜視図である。
【図８】本発明の実施形態による、右手用手袋の手背側の斜視図である。
【図９】本発明の幾つかの実施形態による取り外し可能な挿入体およびカットアンドソーン手袋を示す図である。
【図１０Ａ】本発明の幾つかの実施形態による閉鎖体を有する指サックを示す図である。
【図１０Ｂ】本発明の幾つかの実施形態による長手方向閉鎖体を有する指サックを示す図である。
【図１０Ｃ】本発明の幾つかの実施形態による長手方向閉鎖体を有する端部が開放した指サックを示す図である。
【図１１】本発明の実施形態による大関節用の創傷ケア物品の側面図である。
【図１２】本発明の実施形態による創傷ケア物品の斜視図である。
【図１３】本発明の実施形態による創傷ケアマスクを示す図である。
【図１４Ａ】本発明の実施形態による外側包帯を示す図である。
【図１４Ｂ】本発明の実施形態による外側包帯を示す図である。
【図１５Ａ】本発明の実施形態による、右手用手袋の掌側を示す図である。
【図１５Ｂ】本発明の実施形態による、右手用手袋裏地の手背側を示す図である。
【図１５Ｃ】本発明の実施形態による、右手用裏地の掌側を示す図である。
【発明を実施するための形態】
【０００８】
[0027]本発明の実施形態は、手袋、アンクレット、リストレット、靴下、マスク、指サック、および、熱傷を治療するために使用される他のスリーブなどの物品を形成するために抗菌剤を有する第２の糸で編むことができる層を生成するための第１の糸を有する物品を備える。物品は、水分ウィッキング繊維および／または弾性糸を有する層と、創傷の治療用の抗菌剤を備える層とを更に備え、内層は創傷に固着せず、第２の糸は、創傷などの１つの領域から第２の層への水分のウィッキング、および、ユーザの創傷への抗菌剤の輸送を促進する。物品は、従来の編みプロセスによって編まれてもよく、様々なデニールの糸のおよびゲージを更に備えてもよく、これは、物品の１つの領域から他の領域および外層への水分のチャネリング効率および分配を増大させるために使用され得る。
【０００９】
[0028]編み物品は、継ぎ目がなくてもよく、１本以上の糸を備えてもよい。本発明の実施形態において、第１の層は、創傷の治療のための抗菌層を有する吸収性の水分ウィッキング編み層であり、第２の層は、伸縮性および快適性を付与する、綿、ポリエステル、ナイロン、およびＳＰＡＮＤＥＸ（登録商標）など、ならびに／または、これらの糸の任意の組合せを備える。幾つかの実施形態において、第１の層は、着用者の皮膚と接触する内層であり、銀、金、もしくは、亜鉛、または、それらの合金、または、元素金属の組合せおよび合金（または、後述する他の抗菌剤）などの金属を着用者の創傷へ移送できる親水性の糸を備え、親水性の糸は、治癒および殺菌環境を促進する。第２の層は、皮膚接触層上に配置されてもよい。幾つかの実施形態において、物品は、第２の層上に配置される第３、第４、または、第５の層を備え、各層は、綿、ポリエステル、ナイロン、ＳＰＡＮＤＥＸ（登録商標）、親水性および抗菌性の糸のいずれかまたは両方を有する。更には、本発明の実施形態は、カットアンドソーン布地を備える。
【００１０】
[0029]幾つかの実施形態において、使用される親水性の糸は、格別のウィッキング特性のために不規則な断面を有するナイロン６，６またはＮｉｌｉｔ（登録商標）ＡＱＵＡＲＩＵＳ糸などのナイロン糸である。ナイロンは、創傷から外層への水分の輸送を促進する。本発明の幾つかの実施形態では、ナイロン糸は主糸として使用され、他の実施形態では、ナイロン糸は主糸に編組されてもよい。本発明の他の実施形態では、２本以上の糸が物品の全体にわたって編組され、よって、物品は、物品全体にわたって２つの層を有する。内糸および外糸は、同じナイロン糸、異なるナイロン、または、非ナイロン糸を任意選択で備えてもよい。マイクロデニール糸およびマルチフィラメント糸も優れたウィッキング作用を促進する。内層糸および外層糸の両方は、それらの抗菌性のために、金、銅、ヨウ素、銀、もしくは、亜鉛などの元素金属、または、それらの合金、貴金属イオン、ＴＲＩＯＳＹＮ（登録商標）、トリクロサン、２−プロパノール、第４アンモニウム化合物、ｎ−ハラミンもしくは化合物、および、それらの組合せで化学的に処理されてもよい。銀−亜鉛ゼオライトおよび銀−銅ゼオライトも、当業者に知られている他の抗菌剤と同様に適した抗菌剤である。
【００１１】
[0030]親水性の糸は、糸から創傷または溶離剤への金属イオンの移動を可能にし、それにより、創傷の治癒を促進する。他の適した抗菌剤としては、高分子ビグアニドおよび第４アンモニウム化合物、例えばグルコン酸クロルヘキシジンが挙げられるが、これらに限定されない。物品の層は、物品の１つ以上の領域においてパッドを更に備えてもよい。継ぎ目のない編み物品は、向上されたフィット、快適さ、抗菌機能性、および、低コストをもたらす。本発明の実施形態による継ぎ目のない編み物品は、継ぎ目を有する物品ほど皮膚に固着せず、更にはユーザの皮膚に対する摩擦が少ない物品ももたらす。本発明の実施形態によれば、固着しない糸も企図されている。例えば、本明細書中に開示されている糸のいずれかは、改質されたポリテトラフルオロエチレン糸およびポリエチレンなどの低表面張力糸とブレンドされてもよい。
【００１２】
[0031]図１は、本発明の実施形態による手袋１００を示す。手袋１００は、親指１０２、人差し指１０４、中指１０６、薬指１０８、小指１１０、袖口１１２、および、掌１１４を備え、手袋は編まれまたは任意選択では裁断および縫製される。手袋１００は、幾つかの異なるサイズに作製されてもよい。図１の参照数字を参照すると、袖口１１２の幅１は約４．５インチ〜５．５インチの範囲である。後述するように任意の高分子コーティングが手袋上に配置される前の手袋１００の最大幅である最大掌幅領域２は、約６．２５インチ〜８．６２５インチの範囲であってもよい。人差し指１０４と親指１０２との間の親指１０２の付け根１０１まで手袋１００を横切る掌幅３は、約４＋（１／３）インチ〜５．６２５インチの範囲であってもよい。親指幅４は、約１インチ〜１．５インチの範囲であってもよい。人差し指幅５は、約１インチ〜１．５インチの範囲であってもよい。中指幅６は、約１インチ〜１．５インチの範囲であってもよい。薬指幅７は、約１インチ〜１．５インチの範囲であってもよい。小指幅８は、１インチの約７／８〜１．２５インチの範囲であってもよい。本明細書中に挙げられている全ての範囲は例示的なものであり、本発明の実施形態は、他のサイズおよび寸法を認める。例えば、手袋および他の物品は、小児の手足や胴にフィットするように同様の割合で設計され得る。
【００１３】
[0032]親指継ぎ目長さ１０は、約１．５インチ〜２．５インチのサイズ範囲であってもよい。人差し指継ぎ目長さ１１（人差し指１０４と親指１０２との間）は、約３．２５インチ〜５．２５インチの範囲である。人差し指継ぎ目長さ１２（人差し指１０４と中指１０６との間）は、約２インチ〜３．２５インチの範囲であってもよい。人差し指長さ１３（指１０４の先端から基準線１０３まで測定される場合）は、約３＋（３／８）インチ〜５．２５インチの範囲である。中指継ぎ目長さ１４および１５は、約２＋（３／８）インチ〜３＋（５／８）インチの範囲であってもよい。中指長さ１６は、約４インチ〜５．７５インチの範囲であってもよい。薬指継ぎ目長さ１７（薬指１０８と中指１０６との間）は、約２インチ〜３＋（３／８）インチの範囲である。薬指継ぎ目長さ１８（薬指１０８と小指１１０との間）は、約２．２５インチ〜３＋（５／８）インチの範囲である。薬指長さ１９は、約３＋（３／８）インチ〜５．２５インチの範囲であってもよい。小指継ぎ目長さ２０（薬指１０８と小指１１０との間）は、約１．５インチ〜２＋（７／８）インチの範囲であってもよい。小指継ぎ目長さ２１は、約２インチ〜３＋（７／８）インチの範囲である。小指長さ２２は、約２＋（３／８）インチ〜４．２５インチの範囲であってもよい。
【００１４】
[0033]袖口幅１は、手袋の幅（親指領域２を横切って測定される場合）と同じサイズである幅、手袋の幅よりも僅かに小さい幅、または、手袋の幅よりも僅かに大きい幅を任意選択で備えてもよい。手首または足首のサイズにフィットするように手または足から著しく先細らないまたは狭まらない袖口（手袋およびアンクレットおよび他の身体部分のための物品において一般的なように）は、より大きくなり、容易に着脱することを可能にする。指１０２，１０４，１０６，１０８および１１０のそれぞれは、任意選択でキャップレスであることができ、この場合、指のキャップは、着用者の指先を露出させるように編まれていないまたは取り除かれる。本発明の実施形態は、それぞれその全体が参照により本明細書に組み込まれている同一出願人による米国特許第６，９６２，０６４号明細書、第７，２１３，４１９号明細書、第７，２４６，５０９号明細書、第７，４３４，４２２号明細書、および、第７，５５５，９２１号明細書に開示されているように、ニットバリアブルステッチデザイン（ＫＶＳＤ）および／または三次元自動ニットライナ技術に従って物品が編まれることを更に備える。
【００１５】
[0034]本発明の実施形態による物品は、コンピュータプログラミングを介して提供される命令に従って編機を用いて編むことができる。編み物品の２層域は、可変編組プロセスを使用して形成されてもよく、それにより、指関節または人差し指と親指との間の付け根などのそれぞれの区域における編組経路の数を変えることによって、手袋の重要な屈曲領域における伸縮を増大させる。例えば、伸縮性多層機能域は、ＳＰＡＮＤＥＸ（登録商標）またはＬＹＣＲＡ（登録商標）などの第２の糸を外層の低屈曲領域において４番目の経路ごとに編組することによって形成される。更には、幾つかの領域における屈曲は、第２の糸が存在しなかった区域において８番目の経路ごとに異なる糸を加えることによって増大させてもよい。編組構造における４番目および８番目の経路ごとの使用は、単なる例示目的にすぎない。編組構造は、Ｓｈｉｍａ  Ｓｅｉｋｉ  Ｍｆｇ．，Ｌｔｄ．製のモデルＳＦＧ−Ｉ、ＮＳＦＧ、および、ＳＷＧなどであるがこれらに限定されない機械を使用して、他の経路ごとから９番目の経路ごとまでの範囲であることができる。
【００１６】
[0035]本発明の実施形態における編み物品の特性は、異なる糸を加えることなく変えることができる。例えば、糸張力および針深さなどのステッチ寸法を変えることにより、異なるレベルの伸縮性を有する物品を製造できる。糸の張力は、同一出願人による米国特許第７，４３４，４２２号明細書に開示されているように、編機のコンピュータ制御によってピンチローラと編みヘッドとの間の糸の張力を調整することによって変えられてもよい。より緊密に編まれる層は、伸縮性が少ないことになる。物品中への編み針の貫入の深さを変えること、および、編み経路において更なるステッチを止めるまたは拾い上げることにより、伸縮性に影響を及ぼすこともできる。より浅い針貫入は、より緊密であり伸縮しにくい物品を製造する。
【００１７】
[0036]図２は、本発明の実施形態による、スリット袖口およびコーティングが配置された手袋１００を示す。幾つかの実施形態において、手袋１００は、手袋１００の小指側に配置されたスリット袖口２０６を含むが、親指側などの他の領域がスリットを有してもよい。手袋１００は、編まれようとまたは裁断および縫製されようとにかかわらず、長手方向軸線（図示のように）または緯度軸線に沿って、および、物品の全部または一部に沿って、１つ以上のスリット２０６を有してもよく、それにより、物品が、熱傷または創傷を負った肢、足、および手などの上で容易に着脱するために２枚貝の貝殻のように開閉することを可能にする。スリット２０６は、物品の一部または物品全体を横切ってもよい。この原理による物品は、ストラップ・留め具（図示せず）、フックループファスナー２０４、例えばＶＥＬＣＲＯ（登録商標）などの非恒久的な取り付け部を使用して開閉されてもよい。これに関連して、非恒久的という用語は、取り付け性の損失を伴うことなく物品を複数回開閉できるという特徴を示す。図示のように、スリット２０６は、袖口１０２上の手袋１００の側部を横切り、それにより着用者の手首の側部を露出させる。以下で論じられるように、他の実施形態は、手袋の異なる領域においてスリットを備える。
【００１８】
[0037]図２に示されている手袋１００は、高分子コーティング２０２を任意選択で備えてもよい。高分子コーティング２０２は、グアユールもしくはポリイソプレンなどの天然ラテックス、カルボキシル化されたアクリロニトリルブタジエン、カルボキシル化されていないアクリロニトリルブタジエン、ブチルラテックス、ポリクロロプレン、ニトリル、ポリウレタン、および、同様のラテックスなどの合成ラテックス、高分子組成体もしくはエラストマー組成体、または、それらのブレンドから構成されてもよい。コーティング２０２は、それぞれその全体が参照により本明細書に組み込まれている同一出願人による米国特許第７，８１４，５７１号明細書および米国特許出願第１２／７６９，８２９号明細書に記載されているような浸漬プロセスを使用して手袋１００上に形成されてもよい。図２では、掌浸漬が示されている。コーティング２０２は、特定の用途の必要性に応じて、指関節浸漬、指浸漬、および３／４浸漬などを任意選択で含む。更には、ラテックスを不安定化しゲル化を促進し高分子コーティングの裏抜けを防止するために、高分子コーティング中に浸漬する前に、手袋は硝酸カルシウムまたは当業者に知られている他の凝固剤などの凝固剤中に浸漬されてもよい。
【００１９】
[0038]図３は、本発明の少なくとも１つの実施形態による手袋３００を示す。幾つかの実施形態において、本発明の実施形態による手袋および他の物品は、編まれ、その後に裏返しにされる。図３は、親指１０２、人差し指１０４、中指１０６、薬指１０８、小指１１０、および、掌１１４上の編み経路を示し、編み経路は、手袋３００の外側の長手方向の長さに対して垂直に延びる波状の線として示されている。手袋の内側上の経路は、手袋３００の長手方向の長さに対して平行に延び、その結果、後述するように着用者の皮膚に対する摩擦が減らされるため、着脱が容易となる。患った身体部分とのぴったりとしたフィットにもかかわらず前述したように緩く編まれてもよいＳＰＡＮＤＥＸ（登録商標）またはＬＹＣＲＡ（登録商標）などの伸縮性糸の外層における使用と、後述するような経路の配置と、ファスナーで取り外し可能に付着させられる２枚貝の貝殻のような開口の使用との組合せは、最小量の炎症を伴う、ユーザまたは患者の皮膚とのぴったりとしたフィットを可能にする手袋を製造する。
【００２０】
[0039]図４は、本発明の実施形態による、図３の指１０６の編組された編み布地の拡大図４１０を示す。指１０６の編組された編み布地の内層であってもよい層４０２が陰影を付けて示されており、層は、着用者の皮膚と接触する層である。前述したように、層４０２は、後述するように抗菌作用を有する剤でコーティングされたナイロンなどの親水性の糸を備える。幾つかの実施形態において、内層４０２は、銀または他の金属でコーティングされたナイロン６またはナイロン６，６の糸を備える。外層であってもよい層４０４は、綿、ポリエステル、ナイロン、ＳＰＡＮＤＥＸ（登録商標）、およびＬＹＣＲＡ（登録商標）などならびに／またはこれらの糸の任意の組合せを備える。図示のように、層４０２は、物品の全体にわたって継ぎ目なく編組されてもよい。編み布地の経路は、糸のステッチ間に隙間を作り出す。例えば、層４０４のウィッキングチャネル４０８は、手袋の長手方向軸線に対して垂直な軸線に沿って延び、または言い換えると、図示のように水平に延びる。ユーザの皮膚と接触する側である層４０２のウィッキングチャネル４０６は、手袋３００の指１０６の長手方向軸線と平行な軸線に沿って延びる。手袋の内部でウィッキングチャネル４０６がそのように位置付けられると、物品の着用者の皮膚に対する摩擦が減らされ、それにより、創傷付近の腫れを受け入れることができる伸縮量を最大にする。更には、不規則なまたは非円形の断面を有する糸は、糸間の空間を通じた液体のウィッキング作用を高めることができる。
【００２１】
[0040]内側の編組された糸は、典型的には、外側の糸よりも軽くなり、それによりサイズが７０〜１０００デニールの範囲であり、針ゲージが１０〜１８の範囲である。また、特定の領域のみ、例えば掌、手背、または、指のみにおいて内側抗菌層を編組することは企図されており、抗菌剤の費用に起因して手袋の全体のコストを低減する。内層４０２は、着用者の皮膚と接触しそれにより皮膚から離す水分のウィッキングを促進するナイロン６，６などの親水性の糸を備えてもよく、手袋の糸から創傷への銀または銀イオンの輸送を促進するために、例えば、銀などの抗菌剤でのコーティングまたは他のプロセスによって処理される。
【００２２】
[0041]図５は、本発明の実施形態による、高ウィッキング糸と水分貯留部とを有する手袋を示す。層５００は、バージニア州のマーチンズビルのＮｉｌｉｔ，Ｉｎｃ．によってＮｉｌｉｔ（登録商標）ＡＱＵＡＲＩＵＳの名の下で市販されているナイロン６，６などの高ウィッキング繊維から作製された糸を備え、糸の高ウィッキング特徴については以下で開示する。他の適した高ウィッキング糸は、ＳＴＡ−ＣＯＯＬ（登録商標）ポリエステル、リング紡績された親水性ポリエステルＨＹＤＲＯＴＥＣ（登録商標）、または、ＤＲＹＥＮＥＲＧＹ（登録商標）ポリエステル／綿を含み、肢、または身体部分、例えば脚、腕、膝、足首、頭、および腰などの治療のための任意の形状を更に備えてもよい。マイクロデニール糸、マルチフィラメント糸、および、非円形の不規則な断面を有する糸は、創傷などの１つの領域から離して他の領域へ水分をウィッキングする際、特に有効である。
【００２３】
[0042]層５００は、水排除吸収貯留部である吸収材料要素５３０を任意選択で備える。超吸収材料である吸収材料要素５３０は、層５００の表面に、望ましくは、層５００の手背領域上および／もしくは袖口領域上またはそれらの近傍に取り付けられてもよい。吸収材料要素５３０は、熱可塑性接着剤、糊、および他の適した付着物などを縫い合わせることによって層５００に取り付けられ得る。層５００の糸は、手袋の方向矢印５０２，５０４，５０６，５０８，５１０および５１２により示されているような１つ以上の場所から少なくとも１つの吸収材料要素５３０への汗または他の流体のウィッキングを容易にするために吸収材料要素５３０に流体結合される。吸収材料要素５３０が層５００に付着させられた後、層５００は、所望の形状の形成体上に置かれ、前述したように高分子コーティングでコーティングされてもよい。本発明の実施形態は、吸収材料要素５３０が掌上または指もしくは指の付け根の付近または指もしくは指の付け根に沿って配置されまたは付着させられることを更に備える。
【００２４】
[0043]汗ウィッキング特性および水分ウィッキング特性は、それらの全体が参照により本明細書に組み込まれている同一出願人による米国仮出願第６１／５７１，５６９号明細書および米国特許出願第１３／５３８，３６８号明細書に開示されているように達成されてもよい。この技術は、電気紡績されたポリウレタンおよび結合アクリレートから構成される超吸収材料を含む。１つのそのような超吸収材料はＳＮＳ  Ｎａｎｏｓｏｒｂ（登録商標）２８として市販されている。ＳＮＳ  Ｎａｎｏｓｏｒｂ（登録商標）２８は、内側編み層のナイロン６，６と比べて高い水親和性を有する。超吸収材料は、ナイロン糸によって超吸収材料へウィッキングされた水分を引き込み、その後、超吸収材料は水分をその内部マトリックスに引き込む。そのような水分移動は、内側編み層のナイロンを乾燥させたままにし、それにより、水分がユーザの皮膚から離れていることを保つ。異なる厚さの超吸収材料が使用されてもよい。また、超吸収材料は、身体部分を不慮の衝撃および衝突から保護するために、更なるパッドの代わりに使用され得る。水分吸収は、本発明の幾つかの実施形態では、ポリアクリレート、ポリウレタン、ポリビニルアルコール、ヒドロゲル、および、他の親水性材料を含めることによっても高められる。
【００２５】
[0044]本発明の他の実施形態は、貯留部を様々な場所に配置してもよく、快適さおよび／または吸収性を促進するために様々な形状および厚さを有してもよい。手背領域および袖口領域は、貯留部のための場所の良好な選択であり、なぜなら、これらの領域は殆ど歪みがなく、ユーザの皮膚と緊密に接触しないからである。言い換えると、水分は、比較的高い汗濃度を有する領域でありかつ手袋が使用中にユーザの皮膚と最も緊密に接触する高歪み領域である掌領域および指領域から除去され、皮膚との接触が殆どない領域へチャネリングされる。
【００２６】
[0045]層５００の高ウィッキング糸は、吸収材料要素を有する袖口および手背領域の方へ水分を向けることができ、吸収材料要素は、水分を内側に引き込み、したがって、貯留部として作用する。水分を掌および指から離して吸収材料要素の中心へチャネリングすることにより、湿潤感触またはベトベトした感触が回避され、それにより、衛生および快適さを促進する。また、患者の創傷を負った皮膚への抗菌剤の効率的で高い移送は、皮膚の治癒を促進する。本発明の幾つかの実施形態において、吸収材料要素５３０は、高分子コーティング２０２により覆われていない袖口上にあり、それにより、水分が吸収材料から蒸発することを可能にする。また、水分は、創傷から離す代わりに、創傷などの他の領域へ向けられてもよい。例えば、スキンコンディショナおよびスキンクリーム、ならびに、他の薬剤および医薬。
【００２７】
[0046]図６は、本発明の実施形態による、弾性部材を受け入れるための管路を有する左手用手袋６００を示す。手袋の手背を示す手袋６００は、親指６０２と、指６０４，６０６，６０８および６１０とを含む。親指６０２ならびに指６０４，６０６，６０８および６１０のいずれかまたは全ては、１つ以上の指を固定化するまたは強化運動のための抵抗を提供するための弾性部材６１４を受容することができる管路６１２を更に備える。幾つかの実施形態において、弾性部材６１４は、手の強化を促進するために柔軟な材料および外形を備える。例えば、薄い平坦な外形を有する柔軟なプラスチックは、屈曲に対して抵抗を提供するが、それにもかかわらず、着用者が全ての指を曲げることを可能にする。よって、例えば事故後の弱体化した手の強度が改善され得る。着用者の手がより強くなるにつれて、弾性部材６１４は、更なる抵抗を与えるためにより剛性のある材料に変えることができ、それにより、より一層大きな強化が起こることを可能にする。
【００２８】
[0047]急性傷害、例えば指の熱傷または骨折などの幾つかの状況に関しては、着用者は１つ以上の指関節または指が固定化されている必要があり得る。したがって、幾つかの実施形態では、弾性部材６１４は例えば鋼から作製され、それにより着用者が指を曲げるのを防止する。幾つかの実施形態では、管路６１２が手袋６００中に編まれる。管路６１２は、指の全て、または、指６０６に示されているように一部のみ、例えば１つもしくは２つの指関節のみを横切ってもよい。代替として、管路６１２の長さは、親指６０２および指６０４に示されているように、手背領域６１６内へ延びてもよい。また、後述するように、手袋６００は、着用者の指が覆われていないように、先端が切り取られた指、例えば、端部が開放した指および親指を備えてもよい。更には、管路６１２は、例えば管路開口６１３を介して弾性部材６１４を受容することができる。管路６１２は、親指６０２または指６０４，６０６，６０８，６１０の遠位端（図示せず）で弾性部材を受容するために開放していてもよい。
【００２９】
[0048]弾性部材６１４は、可変の厚さ、幅、長さ、および、外形のものであってもよく、例えば、円形、正方形、長方形、および平坦等であってもよい。また、弾性部材６１４は、多くの異なる材料、例えば、ポリエチレンもしくはポリプロピレンなどの柔軟なプラスチック、アクリロニトリルブタジエンスチレン（ＡＢＳ）もしくはナイロンなどのより剛性のあるプラスチック、または、ポリカーボネートもしくはポリエーテルイミドなどの非常に剛性および／もしくは耐衝撃性のあるプラスチックなどを備えてもよい。柔軟性が望ましい場合には、熱可塑性エラストマー（ＴＰＥ）および加硫物（ＴＰＶ）などのゴム材料も使用され得る。幾つかの実施形態では、ＴＰＥまたはＴＰＶから作製された弾性部材６１４は、手袋６００中に縫製されてもよい。弾性部材６１４は、アルミニウム、鋼、チタン、銀、銀合金、亜鉛、および亜鉛合金等の金属も備える。本発明の幾つかの実施形態では、弾性部材から放出される銀イオンおよび／または亜鉛イオンが溶離剤または汗を介して創傷へ移動し、それにより、治癒を促進する。本発明の幾つかの実施形態において、管路６１２は、治癒、運動、および、後処置に役立つために、電気配線、灌流、照明、および、機械的なプーリーを受け入れることができる。例えば、管路６１２は導電糸から編まれてもよい。幾つかの実施形態では、管路６１２は指先の端部から袖口領域まで延び、袖口領域において、電気コネクタおよび電力が加えられて、創傷へ電気を伝えることができ、それにより、治癒を促進する。
【００３０】
[0049]図７は、本発明の実施形態による、右手用手袋７００の掌側の斜視図を示す。手袋７００は、親指ストール７０２と、指ストール７０４，７０６，７０８および７１０とを含む。幾つかの実施形態において、手袋７００は、図示のように、着用者の指先が手袋７００内に封入されないように先端が切り取られた親指ストールおよび指ストールを有する。また、手袋７００には閉鎖フラップ７１２，７１４および７１６も含まれ、閉鎖フラップは、スリット７４０を閉じるために、対応する部材７１８，７２０および７２２とそれぞれ結合するフックを備える。幾つかの実施形態では、フックがＶＥＬＣＲＯ（登録商標）フックであり、幾つかの実施形態において、フックは、スリット７４０を解放可能に閉じるために、対応する部材７１８，７２０および７２２上のＶＥＬＣＲＯ（登録商標）ループと係合する。スリット７４０およびＶＥＬＣＲＯ（登録商標）閉鎖フラップは、手の掌または手背、指、または、親指領域上にあることができる。ＶＥＬＣＲＯ（登録商標）閉鎖フラップ７１２，７１４および７１６は、一体品として、対応する部材に付着してもよく、または代替として、手を見るために全ての閉鎖フラップが開放されないように、スロット７２４および７２６の箇所などの１つ以上の箇所で分けられてもよい。幾つかの実施形態において、指ストールは、患者により良好にフィットするために、担当の医療従事者によって任意の長さに作製され得、より短く切断され得る。また、幾つかの実施形態では、ＶＥＬＣＲＯ（登録商標）部材７１８，７２０および７２２は省かれ、ＶＥＬＣＲＯ（登録商標）閉鎖フラップ７１２，７１４および７１６のフックは、物品を解放可能に閉じるために編み物品のカットアンドソーン布地またはループと直接係合する。本発明の幾つかの実施形態において、スリット７４０を備える手袋７００は、手袋７００が左手または右手のいずれにもフィットできるように、すなわち、両手利きであることができるように、裁断および縫製されまたは編まれてもよい。
【００３１】
[0050]図８は、本発明の実施形態による、右手用手袋７００の手背側の斜視図を示す。図８において、手袋７００はパッド７２８を更に備える。パッド７２８は、綿などの布地、または、プラスチック、ゴム、もしくは、金属などの耐穿刺性材料および／もしくは耐衝撃性材料であってもよい。本発明の幾つかの実施形態において、パッド７２８は、手袋７００の手背上に直接縫い合わされまたは編まれてもよく、手袋７００中に編組されてもよく、または、手袋中に継ぎ目なく編まれてもよい。他の実施形態において、パッドは、他の様式で、例えば裁断され手背領域上に縫製されるパッドによって付着させられてもよい。更なる他の実施形態では、手袋７００がポケット７３０（隠れ線により部分的に図示されている）を備える。ポケット７３０は、ポケット内へ配置されるパッドを受け入れることができる開口７３２を含む。幾つかの実施形態において、手袋７００は、手袋７００内に直接編まれたパッド７２８を有すること、および、手袋７００内に編物のポケット７３０を有することを含み、それにより、存在するパッドの量を２倍にすることを可能にする。幾つかの実施形態において、パッド７２８は、保護のために軟らかくてもよく、または、療法の理由で所望の手形状または手の曲率を保持するのに役立つために堅くてもよい。
【００３２】
[0051]図９は、本発明の幾つかの実施形態による取り外し可能な挿入体９０２およびカットアンドソーン手袋を示す。取り外し可能な挿入体９０２は略円錐形または円筒形の部材である。取り外し可能な挿入体９０２は、任意の適した滑らかな材料、例えばプラスチック、金属、紙、または、ガラスから作製されてもよい。取り外し可能な挿入体９０２は、多くのサイズのものであってもよく、挿入体が置かれる指よりもおおよそ大きい。取り外し可能な挿入体９０２は、患者の指および親指を覆って置かれて、患者に痛みを与える場合がありかつ既に損傷した皮膚を更に刺激する場合がある創傷表面を保護し創傷表面上での手袋の擦れを最小限に抑える。次いで、手袋７００が手を覆って置かれ、その後、取り外し可能な挿入体９０２が取り外される。また、取り外し可能な挿入体９０２は、後述するように指サックと共に使用されてもよい。特に、２つの開放端部と、閉鎖体、例えば引きひもおよび／もしくはＶＥＬＣＲＯ（登録商標）などのフックループ閉鎖体とを有する指サック、または、閉鎖体を有する手袋もしくは他の創傷ケア物品は、取り外し可能な挿入体９０２が取り外される前に閉鎖体が異なる張力で締め付けられることを可能にし、それにより、カスタム締め付けを可能にする。
【００３３】
[0052]図１０Ａは、本発明の実施形態による指サック１０００を示す。抗菌性の糸を含む前述の単一または複数の糸から編むことができる指サック１０００は、指被覆体１００２と、閉鎖フラップ１０２０，１０２２および１０２４とを含み、閉鎖フラップは、対応するＶＥＬＣＲＯ（登録商標）部材１０１０，１０１２および１０１４とそれぞれ結合するＶＥＬＣＲＯ（登録商標）ストリップ１００４，１００６および１００８などのフックループファスナーを備える。ＶＥＬＣＲＯ（登録商標）閉鎖フラップ１００４，１００６および１００８は、一体品として、対応する部材１０１０，１０１２および１０１４に付着してもよく、または代替として、各閉鎖フラップが他の閉鎖フラップとは独立に移動するように、スロット１０１６および１０１８の箇所などの１つ以上の箇所で分けられてもよい。前述したように、ＶＥＬＣＲＯ（登録商標）のフック部は省かれてもよく、それにより、フックを有するＶＥＬＣＲＯ（登録商標）閉鎖フラップ１００４，１００６および１００８が閉鎖フラップ１００４，１００６および１００８と直接係合し閉鎖フラップを解放可能に閉じることを可能にする。
【００３４】
[0053]指サック１０００は、例えば手袋７００を伴ってまたは手袋７００を伴わずに指および親指の先端上で使用され得る。指サック１０００は、例えば指の１つの指関節と同じ程度の長さであるように、指の先端を覆って置かれてもよい。代替として、指サック１０００は、着用者の手の掌領域および手背領域まで延びる、着用者の指全体と同じ程度の長さであってもよい。指サック１０００は、裁断および縫製されてもよく、任意の適した糸を備えてもよい。代替として、指サック１０００は任意の適した糸から編まれてもよい。幾つかの実施形態において、指サック１０００は、前述したような水分制御糸を使用して編まれてもよい。また、指サック１０００は、足指で被った熱傷、傷害、または、他の状態を治療するように設計され得る。
【００３５】
[0054]図１０Ｂは、本発明の幾つかの実施形態による長手方向閉鎖体を有する指サック１０５０を示す。指サック１０５０は、閉じられた端部を先端１０５４に有する。ＶＥＬＣＲＯ（登録商標）閉鎖体であってもよい閉鎖体１０５２は、指の背部上で指サック１０５０の長手方向軸線に沿って延びる。閉鎖体１０５２は、指の掌側または指の両側（図示せず）に任意選択で置かれてもよい。
【００３６】
[0055]図１０Ｃは、本発明の幾つかの実施形態による長手方向閉鎖体を有する端部が開放した指サック１０６０を示す。指サック１０６０は、リング１０６６で終端する開放端部を先端１０６４に有する。ＶＥＬＣＲＯ（登録商標）閉鎖体であってもよい閉鎖体１０６２は、指の背部上で指サック１０６０の長手方向軸線に沿って延びる。閉鎖体１０６２は、指の掌側または指の両側に任意選択で置かれてもよい。前述したように、指サック１０６０は、端部が開放しているため、前述したような取り外し可能な挿入体と共に使用されて、指サック１０６０の着脱時の創傷への更なる傷害を防止してもよく、または、指サック１０６０の閉鎖体１０６２をカスタム締め付けし、それにより、閉鎖体が締め付けられた後に取り外し可能な挿入体が取り外されること可能にしてもよい。
【００３７】
[0056]図１１は、本発明の幾つかの実施形態による大関節用の創傷ケア物品１１００の側面図を示す。創傷ケア物品１１００は、例えば膝または肘のために使用され得る。創傷ケア物品１１００は、本発明の実施形態に従って、編物の織布地または不織布地から編まれまたは裁断および縫製されてもよく、糸、超吸収材料、ＶＥＬＣＲＯ（登録商標）閉鎖フラップ（図示せず）、および、本発明の他の実施形態に関して本明細書中で論じられたような解放可能に閉じることができるスリットなどの他の特徴を備えてもよい。また、創傷ケア物品１１００は、前述したように着脱中に少ない摩擦が着用者に付与されるように、編み経路が物品の長手方向軸線に沿って延びるように裏返しにされてもよい。創傷ケア物品１１００は、着用者の関節の周囲の所定位置、例えば、肘、膝、肩、腰および臀部などに物品を維持するリング１１０２を更に備える。創傷ケア物品１１００は、切り欠き１１０４を更に備え、それにより、肘当てまたは膝当ての先端が切り欠きを通って延びることを可能にする。したがって、切り欠き１１０４は、曲げ中または伸縮中に着用者の肢に少ない影響を及ぼすことを可能にする。
【００３８】
[0057]図１２は、本発明の実施形態による創傷ケア物品１２００の斜視図を示す。創傷ケア物品１２００は、例えば、足首または手首を受容するために使用され得る。創傷ケア物品１２００は、本発明の実施形態によれば、編み布地または織布地である。また、創傷ケア物品１２００は、着脱中に少ない摩擦が着用者に付与されるように、編み経路が物品の長手方向軸線に沿って延びるように裏返しにされてもよい。創傷ケア物品１２００は、着用者の関節の周囲の所定位置、例えば、肘、膝、肩、腰、および臀部などに物品を維持するために、ＳＰＡＮＤＥＸ（登録商標）もしくはＬＹＣＲＡ（登録商標）などの弾性糸または弾性糸を有する糸のブレンドを使用して継ぎ目なく編まれてもよいリング１２０２を更に備える。
【００３９】
[0058]創傷ケア物品１２００は、例えば踵が切り欠きを通って延びることを可能にするために、前述したような切り欠き（図示せず）を更に備えてもよい。創傷ケア物品１２００は、静止時に真っ直ぐな方向性を有してもよく、それにより、例えば真っ直ぐな縁部１２０４を有する。代替として、創傷ケア物品１２００の縁部は、屈曲形態で付勢されてもよい（図示せず）。創傷ケア物品１２００は弾性領域１２０６を更に備え、弾性領域は、身体部分へのより良好なフィットを提供し、他の領域における創傷ケア物品の伸縮を弱め、結果として、移動が少なくなり摩擦が少なくなる。熱傷または他の傷害により影響され得る他の領域における少ない移動および摩擦は、移動による刺激またはストレスなしに更なる治癒を可能にする。
【００４０】
[0059]図１３は、本発明の実施形態による創傷ケアマスク１３００を示す。創傷ケアマスク１３００は、本明細書中に開示されている本発明の他の実施形態の場合のように、吸収性の水分ウィッキング編み層である編物のまたは織物の外層と、創傷の治療のための抗菌層である内層とを備える。外層は、綿、ポリエステル、ナイロン、およびＳＰＡＮＤＥＸ（登録商標）などならびに／またはこれらの糸の任意の組合せを備えてもよい。着用者の皮膚と接触する内層は、銀、金、もしくは、亜鉛、または、それらの合金、または、元素金属の組合せおよび合金などの金属を着用者の創傷へ移送することができる親水性の糸を備え、親水性の糸は、治癒および殺菌環境を促進する。内層は、水、水分、および、溶離剤を皮膚から離すように移送できる水分ウィッキング糸も備える。
【００４１】
[0060]創傷ケアマスク１３００は、単一の部品、２つの部品、または、互いに解放可能に取り付けられる２つ以上の部品を備える。創傷ケアマスク１３００を構成する部品の数にかかわりなく、創傷ケアマスク１３００は、マスク１３００の部品を取り付けるために重ね合わされてもよいＶＥＬＣＲＯ（登録商標）などの閉鎖体またはフックループファスナー１３１０および１３１６を備える。閉鎖体またはファスナー１３１０および１３１６は、軸線１３２２に沿ってマスクの前部１３０２から背部１３０４まで、軸線１３２０に沿って頭部の左側から頭部の右側まで、または、両方の軸線１３２０および１３２２に沿って、創傷ケアマスク１３００上に配置されてもよい。創傷ケアマスク１３００は切り欠き１３０６，１３０７，１３０８および１３１２を備える。例えば、切り欠き１３０６は着用者の鼻を受け入れ、切り欠き１３０７は着用者の口を受け入れ、切り欠き１３０８は着用者の眼を受け入れ、切り欠き１３１２および１３１４は着用者の耳を受け入れる。本発明の実施形態では、マスクは切り欠きを有さない。担当の医療職員は、そのようなマスクを利用し、特定の人または傷害の必要性に応じて切り欠きを作製することができる。例えば、鼻、耳、または、顎がひどく熱傷を負った場合には、その傷害が二次的な包帯を伴うことなくマスクによって覆われていることが有益であり得る。また、これは、１サイズで全てにフィットするマスクを可能にする。例えば、特徴のサイズおよび場所は、人ごとに変わる。例えば、眼は更に離して設定されてもよく、鼻および耳のサイズは異なってもよく、それにより、医療職員がマスクにカットを作製して、患者の必要性に特有のマスクを確保することを可能にする。
【００４２】
[0061]閉鎖体１３１０および１３１６の幅は、より緊密なもしくはより緩いフィットを可能にするために、または幾つかのサイズを受け入れるために変えることができる。例えば、閉鎖体１３１０および１３１６の横方向の幅がそれぞれ約１インチ幅である場合、マスクのサイズはそれぞれの側でほぼ２インチ変えられてもよい。また、創傷ケアマスク１３００は、糸から作製されるため、着用者の頭部の上で緊密に伸縮させられてもよく、それにより、圧縮を作り出す。前述したように、ＶＥＬＣＲＯ（登録商標）または他のファスナーのループは省くことができ、ＶＥＬＣＲＯ（登録商標）のループは布地と係合させることができる。
【００４３】
[0062]ここで、本発明の実施形態による物品の上に置かれる外側包帯が本明細書中で更に企図されている。外側包帯は、皮膚接触物品である内側物品の上に置かれる。内側物品は、長期間にわたって創傷上、例えば熱傷上にとどまることができ、一方、外側包帯は毎日交換されてもよい。熱傷患者は、ひとたび病院から帰宅させられれば、容易にかつ有効に包帯を創傷に自分で巻くことができる。後述するように、この手法は、手袋、指サック、フェースマスク、および、他の物品に適用できる。
【００４４】
[0063]図１４Ａは、本発明の実施形態による外側包帯１４００を示す。外側包帯１４００は、手袋と共に使用するための包帯である。包帯は、抗菌効果のために銀、銀合金、または、他の金属を糸に組み込むことを含む、本明細書中に開示されている物品と実質的に同様の編み物品または織布地であってもよい。幾つかの実施形態では、外側包帯１４００は１０〜１８ゲージニットである。幾つかの実施形態では、外側包帯は１３ゲージニットである。多量の水分を吸収するように密度がより高い外側包帯が望ましい場合、本発明の実施形態は１８ゲージニットを備える。幾つかの実施形態において、皮膚接触物品を製作するために使用される糸は、ペンシルベニア州のスクラントンのＮｏｂｌｅ  Ｂｉｏｍａｔｅｒｉａｌｓ製のＸ−ｓｔａｔｉｃ（登録商標）糸などの銀コーティングされたナイロン６，６の糸である。代替として、皮膚接触物品は、カナダのオンタリオにあるＩｆｔｎａ，Ｉｎｃ．製の抗菌剤を含有する布地を備える。本発明の幾つかの実施形態において、外側包帯１４００は、皮膚接触物品の上に解放可能に置かれるさらし木綿被覆物品であり、アンクレット、靴下、手袋、マスク、指サック、スリーブ、圧縮スリーブ、肘サポート、または、膝サポートなどのための外側包帯を含む。
【００４５】
[0064]外側包帯１４００はレーヨンおよび／または綿ブレンドなどの糸を備え、この場合、綿は水分吸収をもたらし、レーヨンは、外側包帯が主物品の上で容易に摺動するように滑りやすい。外側包帯１４００を作製するために使用される糸は、単一の継ぎ目のない層を作製するために使用される複合糸であることができる。代替として、外側包帯１４００は、主糸と編組された糸とを有する多層を備える。そのような実施形態では、レーヨン層は内層上にあってもよく、綿は外層上にあってもよい（図示せず）。外側包帯が使用中に伸縮させられると主物品上に、すなわち、皮膚接触物品上に、この実施形態では手袋上にクランプし、手袋を所定位置にかつ皮膚に緊密に保持するように、編み布地または織布地はＳＰＡＮＤＥＸ（登録商標）またはＬＹＣＲＡ（登録商標）などの高弾性の糸を更に備える。
【００４６】
[0065]外側包帯１４００は、継ぎ目１４０２を備える２部品構成であってもよい。継ぎ目１４０２は、本明細書中で論じられているＶＥＬＣＲＯ（登録商標）ファスナーを更に備える。外側包帯が２つの部品を備える本発明の実施形態に関しては、外側包帯１４００は手袋の上に置かれ継ぎ目１４０２においてＶＥＬＣＲＯ（登録商標）ファスナーで緊密にまたは緩く固定され得る。外側包帯１４００は、ＶＥＬＣＲＯ（登録商標）ファスナー１４０４（図示のように閉じられる）などのファスナーを手背領域１４０６に沿って更に備える。幾つかの実施形態では、代替としてまたは加えて、ファスナーは掌領域に沿って配置されてもよい（図示せず）。これにより、外側包帯１４００を完全に取り外す必要なく、創傷を見ることを可能にする。また、外側包帯１４００は、先端が切り取られた指先１４０８を備え、または、幾つかの実施形態では、指先が存在する（図示せず）。
【００４７】
[0066]図１４Ｂは、本発明の実施形態による外側包帯１４５０を示す。外側包帯１４５０は、前述したマスクと共に使用するためのものである。外側包帯１４５０は、ＶＥＬＣＲＯ（登録商標）などのファスナーで解放可能に互いに付着させられる２つの半体を有する２部品構成を含む、外側包帯１４００の利点の全てを備える。図示のように、外側包帯１４５０は、実質的に前述したようなマスクである内側マスク１４５４を覆う前部半体１４５２を有する。外側包帯１４５０は、前部半体１４５２などの一方の半体上にＶＥＬＣＲＯ（登録商標）ファスナーのフックを備えてもよく、他方の半体（図示せず）上にＶＥＬＣＲＯ（登録商標）ファスナーのループを有する。代替として、前述したように、ＶＥＬＣＲＯ（登録商標）ループは省かれてもよい。例えば、前部半体１４５２がフックを有するファスナーを内面上に有する場合、ＶＥＬＣＲＯ（登録商標）フックはマスク１４５４の糸と直接係合してもよい。例えば指、膝、および足首などのための本明細書中に開示されている物品ために、本発明の実施形態に従って更なる外側包帯も作製されてもよい。
【００４８】
[0067]図１５Ａは、本発明の実施形態による、右手用手袋１５００の掌側を示す。手袋１５００は、親指フラップ１５０２と、指フラップ１５０４，１５０６，１５０８，１５１０と、任意選択でスリット１５１４とを含む。親指フラップ１５０２および指フラップ１５０４，１５０６，１５０８，１５１０のいずれかまたは全ては、それらの遠位端１５１２に、フックループファスナーを備える。親指フラップ１５０２および指フラップ１５０４，１５０６，１５０８，１５１０は、着用のストレスを減らすために着用者の指の周囲に巻き付けられてもよいが、これらのフラップは依然として前述したような取り外し可能な挿入体９０２と併せて使用できる。
【００４９】
[0068]幾つかの実施形態において、手袋１５００は、抗菌効果のために銀、銀合金、または、他の金属を糸に組み込むことを含む、本明細書中に開示されている物品と実質的に同様な編み構造または織り構造を備える。本発明の幾つかの実施形態では、手袋１５００は織物のカットアンドソーン構造である。手袋１５００は、後述するように、手袋１５００を形成するために一緒に裁断および縫製される２つの半体を備える。手袋１５００は、手袋内の任意のスリットを解放可能に閉じるために、手の掌または手背上にフックおよびループまたは任意選択でＶＥＬＣＲＯ（登録商標）閉鎖体を更に備える。フックループファスナーまたはＶＥＬＣＲＯ（登録商標）閉鎖体７２０および７２２は、一体品として、対応する部材に付着してもよく、または代替として、前述したように、手を見るために全ての閉鎖フラップが開放されないように１つ以上の箇所で分けられてもよい。
【００５０】
[0069]図１５Ｂは、本発明の実施形態による、右手用手袋裏地１５２０の手背側を示す。例えば、手袋半体１５２０は、手袋１５００を形成するために別の手袋半体１５２０と縫製されてもよい。手袋半体１５２０は、親指部材１５２２と、指部材１５２４，１５２６，１５２８および１５３０とを備える。
【００５１】
[0070]図１５Ｃは、本発明の実施形態による、右手用手袋１５５０の掌側を示す。手袋半体１５５０は、親指部材１５５２と、指部材１５５４，１５５６，１５５８および１５６０とを備え、スリット１５１４を任意選択で備える。親指部材１５５２ならびに指部材１５５４，１５５６，１５５８および１５６０は、前述した手袋半体１５２０の対応する親指部材１５２２、指部材１５２４，１５２６，１５２８および１５３０よりも長い。手袋半体１５５０は、手袋１５００を作り出すために手袋半体１５２０に縫製され得る。親指部材１５５２ならびに指部材１５５４，１５５６，１５５８および１５６０は、より長く、従来の手袋で遭遇することがある更なる痛みを伴う擦れおよび／または熱傷後の皮膚組織の損失を引き起こす着用の摩擦力に着用者を晒すことなく着用者の指および親指の周囲に巻き付けられてもよい。
【００５２】
[0071]本発明の幾つかの実施形態において、手袋１５００は、親指１５２２と、指部材１５２４，１５２６，１５２８および１５３０とを備えて編まれてもよい。編まれようとまたは裁断および縫製されようとにかかわらず、手袋１５００は、親指フラップおよび／または指フラップの末端でそれに付着させられる閉鎖体１５１２を更に備える。閉鎖体１５１２は、例えば、フラップを閉じられた状態に保持するために、対応する領域上でループと係合するフックであってもよい。ループはフラップに付着させられてもよく、または、ループは編み物品のループであってもよい（図示せず）。幾つかの実施形態では、フックおよびループはＶＥＬＣＲＯ（登録商標）閉鎖体である。ＶＥＬＣＲＯ（登録商標）閉鎖体１５１２は、親指フラップまたは指フラップを解放可能に閉じるために編み布地または織布地と係合するフックも備えてもよい。
【００５３】
[0072]幾つかの実施形態では、親指部材１５５２ならびに指部材１５５４，１５５６，１５５８および１５６０はより長いので、患者により良好にフィットするために担当の医療従事者によってより短くカットすることができる。本発明の幾つかの実施形態において、スリット７４０を備える手袋７００は、手袋７００が左手または右手のいずれにもフィットできるように、すなわち、両手利きであることができるように、裁断および縫製されまたは編まれてもよい。
【００５４】
[0073]本明細書中で論じられている本発明の実施形態は、手袋、靴下、マスク、および指サックなどに向けられている。身体の他の部分上の創傷ケア用の他の物品が本明細書中で企図されていることを更に理解されたい。例えば、脚および胴などの他の部分用の物品が可能であり、本発明の実施形態の範囲内にある。本発明の実施形態による他の物品は、設計され、肘、膝、足首、臀部、および肩などの関節の上に置かれてもよく、本発明の実施形態の特徴の全てを含む。また、関節用の物品、例えば、手首を通り過ぎて延びる手袋は、複数の身体部分を対象とする物品を形成するために、単一の編み動作で２つの構成要素を一緒に編むことにより製作され得るように、略円筒状の圧縮スリーブと組み合わされてもよい。更には、圧縮スリーブを有する手袋の組合せは意図的に長くすることができる。その後、物品は、患者により良好にフィットするために、または、影響された身体部分のみを覆うために、担当の医療従事者によってより短く裁断され得る。本発明の実施形態は、腓腹または大腿まで延びる足首用または膝用の物品と一体に取り付けられるまたは編まれる圧縮スリーブも含む。肘用に作製された物品に、同様に、上腕もしくは前腕または両方と共に使用するために十分に長く延びる圧縮スリーブを取り付けることができる。
【００５５】
[0074]本明細書中で挙げられた任意の寸法の数値の全ての範囲は、例示的なものであり、限定的に見なされるべきでなく、それらの間の範囲を含み、終点を含むものまたは終点を含まないものであることができる。任意選択の含まれる範囲は、挙げられた大きさの程度でまたは次により小さい大きさの程度で、それらの範囲の間の整数値からであることができる。例えば、低い方の範囲値が０．１である場合、任意選択の含まれる終点は、０．２、０．３、０．４．．．１．１、および１．２など、ならびに、１、２、および３などであることができる。高い方の範囲が８である場合、任意選択の含まれる終点は、７、および６など、ならびに、７．９、および７．８などであることができる。
【００５６】
[0075]以上は本発明の実施形態に向けられているが、本発明の範囲から逸脱することなく本発明の他の実施形態が考案されてもよく、本発明の範囲は以下の特許請求の範囲によって決定される。
【図１】
0006261053.tif 000002
【図２】
0006261053.tif 000003
【図３】
0006261053.tif 000004
【図４】
0006261053.tif 000005
【図５】
0006261053.tif 000006
【図６】
0006261053.tif 000007
【図７】
0006261053.tif 000008
【図８】
0006261053.tif 000009
【図９】
0006261053.tif 000010
【図１０Ａ】
0006261053.tif 000011
【図１０Ｂ】
0006261053.tif 000012
【図１０Ｃ】
0006261053.tif 000013
【図１１】
0006261053.tif 000014
【図１２】
0006261053.tif 000015
【図１３】
0006261053.tif 000016
【図１４Ａ】
0006261053.tif 000017
【図１４Ｂ】
0006261053.tif 000018
【図１５Ａ】
0006261053.tif 000019
【図１５Ｂ】
0006261053.tif 000020
【図１５Ｃ】
0006261053.tif 000021